【事件の表示】
　特願２０１５−　９５３７２「メッセージ表示装置、監視システム、メッセージ表示方法及びプログラム」拒絶査定不服審判事件〔平成２８年１２月１５日出願公開、特開２０１６−２１２６０７、請求項の数（５）〕について、次のとおり審決する。
【結　論】
　原査定を取り消す。
　本願の発明は、特許すべきものとする。
【理　由】
第１　手続の経緯
　本願は、平成２７年５月８日の出願であって、その手続の経緯は以下のとおりである。
　平成３０年１２月　６日　　：拒絶理由通知書
　平成３１年　２月１２日　　：意見書、手続補正書の提出
　令和　元年　７月１９日付け：拒絶査定（原査定）
　令和　元年１０月２３日　　：審判請求書、手続補正書の提出
　令和　２年１０月２０日付け：拒絶理由（当審拒絶理由）通知書
　令和　２年１２月２４日　　：意見書、手続補正書の提出
第２　原査定の概要
　原査定の概要は次のとおりである。
　本願請求項１ないし６に係る発明は、以下の引用文献Ａ及びＢに記載された発明に基いて、その発明の属する技術の分野における通常の知識を有する者（以下、「当業者」という。）が容易に発明できたものであるから、特許法第２９条第２項の規定により特許を受けることができない。
＜引用文献等一覧＞
Ａ　特開２００１−０８４０２６号公報
Ｂ　特開２０１４−０２６４７３号公報（周知技術を示す文献）
第３　当審拒絶理由の概要
　当審拒絶理由の概要は次のとおりである。
（理由１：明確性要件違反）
　本願請求項１ないし６に係る発明は、明確ではないから、特許法第３６条第６項第２号に規定する要件を満たしていない。
（理由２：サポート要件違反）
　本願請求項１ないし６に係る発明は、発明の詳細な説明に記載したものではないから、特許法第３６条第６項第１号に規定する要件を満たしていない。
（理由３：進歩性欠如）
　本願請求項１ないし６に係る発明は、以下の引用文献１ないし６に記載された発明に基いて、当業者が容易に発明できたものであるから、特許法第２９条第２項の規定により特許を受けることができない。
＜引用文献等一覧＞
１　特開２０１４−２６５４７号公報
２　特開平４−１４９７２５号公報（周知技術を示す文献）
３　特許第５４４９６３０号公報（周知技術を示す文献）
４　特開２００６−２７６９５６号公報（周知技術を示す文献）
５　特開平３−４００２４号公報（周知技術を示す文献）
６　特開２０００−２５０７８４号公報
第４　本願発明
　本願請求項１ないし５に係る発明（以下、それぞれ「本願発明１」ないし「本願発明５」という。）は、令和２年１２月２４日に提出された手続補正により補正された特許請求の範囲の請求項１ないし５に記載された事項により特定される発明であり、本願発明１ないし５は以下のとおりの発明である。
「　　【請求項１】
　監視対象機器の状況に関する時系列のメッセージを取得するメッセージ取得部と、
　メッセージ表示装置の画面内のメッセージ表示領域に、発生時刻が最も新しい前記メッセージから順に所定数の前記メッセージを表示し、前記メッセージ表示領域における表示対象を切り替えるための第１の所定の指示が入力された場合、前記メッセージ表示領域に最新のメッセージが表示されていない可能性があることを示す態様で前記メッセージ表示領域を表示し、その後に、表示されるメッセージを変更するための第２の所定の指示が入力されたことに応じて、前記メッセージ表示領域に、表示中の最新のメッセージよりも過去に前記メッセージ表示領域に表示された過去のメッセージを時系列に表示する表示制御部と、
　を備えるメッセージ表示装置。
　　【請求項２】
　前記表示制御部は、前記第１の所定の指示が入力され、最新のメッセージが表示されていない可能性があることを示す態様で前記メッセージ領域が表示された後、過去方向への移動を示す指示が入力された場合、前記メッセージ表示領域に、表示中の前記メッセージよりも発生時刻を過去方向に順に移動させて前記メッセージを時系列に表示させ、現在方向への移動を示す指示が入力された場合、前記メッセージ表示領域に、表示中の前記メッセージよりも発生時刻を現在方向に順に移動させて前記メッセージを時系列に表示させる、
　請求項１に記載のメッセージ表示装置。
　　【請求項３】
　監視対象機器の状況を表すデータを受信する受信部と、
　前記データに基づいて前記監視対象機器の状況に関するメッセージを生成するメッセージ生成部と、
　監視端末の画面内のメッセージ表示領域に、発生時刻が最も新しい前記メッセージから順に所定数の前記メッセージを表示し、前記メッセージ表示領域における表示対象を切り替えるための第１の所定の指示が入力された場合、前記メッセージ表示領域に最新のメッセージが表示されていない可能性があることを示す態様で前記メッセージ表示領域を表示し、その後に、表示されるメッセージを変更するための第２の所定の指示が入力されたことに応じて、前記メッセージ表示領域に、表示中の最新のメッセージよりも過去に前記メッセージ表示領域に表示された過去のメッセージを時系列に表示する表示制御部と、
　を備える監視システム。
　　【請求項４】
　監視対象機器の状況に関する時系列のメッセージを取得するメッセージ取得ステップと、
　監視端末の画面内のメッセージ表示領域に、発生時刻が最も新しい前記メッセージから順に所定数の前記メッセージを表示し、前記メッセージ表示領域における表示対象を切り替えるための第１の所定の指示が入力された場合、前記メッセージ表示領域に最新のメッセージが表示されていない可能性があることを示す態様で前記メッセージ表示領域を表示し、その後に、表示されるメッセージを変更するための第２の所定の指示が入力されたことに応じて、前記メッセージ表示領域に、表示中の最新のメッセージよりも過去に前記メッセージ表示領域に表示された過去のメッセージを時系列に表示する表示制御ステップと、
　を有するメッセージ表示方法。
　　【請求項５】
　コンピュータに、
　監視対象機器の状況に関する時系列のメッセージを取得するメッセージ取得ステップと、
　監視端末の画面内のメッセージ表示領域に、発生時刻が最も新しい前記メッセージから順に所定数の前記メッセージを表示し、前記メッセージ表示領域における表示対象を切り替えるための第１の所定の指示が入力された場合、前記メッセージ表示領域に最新のメッセージが表示されていない可能性があることを示す態様で前記メッセージ表示領域を表示し、その後に、表示されるメッセージを変更するための第２の所定の指示が入力されたことに応じて、前記メッセージ表示領域に、表示中の最新のメッセージよりも過去に前記メッセージ表示領域に表示された過去のメッセージを時系列に表示する表示制御ステップと
　を実行させるためのプログラム。」
第５　引用文献、引用発明等
１　引用文献１について
（１）引用文献に記載された事項
　当審拒絶理由に引用された引用文献１には、図面とともに次の事項が記載されている。なお、下線は、強調のために当審が付与した。（以降の記載においても同様。）
「【０００１】
　本発明は、例えば、
プラントの監視制御業務を行うために用いられる監視制御装置、監視制御方法及び監視制御システム
「【００２３】
　図２は、監視制御システム１Ａ及び監視制御装置３Ａの構成例を示すブロック図である。
　上述したように
監視制御システム１Ａは、表示装置２Ａが接続された監視制御装置３Ａ
監視制御装置３Ａには、上下水道プラント４と入力装置７が接続され
「【００２５】
　監視制御装置３Ａは、上下水道プラント４の運転を制御すると共に、上下水道プラント４の動作を監視している。具体的には、
監視制御装置３Ａは、入力装置７から作業者の入力操作を受付け、上下水道プラント４に対して、入力操作に基づく操作指示を出力し、上下水道プラント４から受け取った出力結果を表示装置２Ａに表示する。また、監視制御装置３Ａは、上下水道プラント４から、例えば、圧力計４ｅ、流量計４ｆ等が出力した計測値を含む入力信号を受け取り、表示画面２０
を表示装置２Ａに表示する
「【００４０】
　また、
表示画面２０のレイアウトには、被監視対象に生じたイベントの情報を表示する第３の表示エリアとして、アラーム表示エリア２１が設けられて
【００４１】
アラーム表示エリア２１には、直近に発生したアラームの情報が１件から５件程度まで表示され
アラームの情報が６件以上になると、アラームの発生日時が古い順に過去のアラームの情報は表示されなくなる
不図示のログ監視画面等により、所定期間内に発生した全てのアラームの情報を確認することが可能である
「【図３】
」
（２）引用発明
　したがって、上記引用文献１には次の発明（以下、「引用発明」という。）が記載されていると認められる。
「プラントの監視制御業務を行うために用いられる監視制御装置、監視制御方法及び監視制御システムであって、
　監視制御システム１Ａは、表示装置２Ａが接続された監視制御装置３Ａを備え、そして、監視制御装置３Ａには、上下水道プラント４と入力装置７が接続され、
　監視制御装置３Ａは、入力装置７から作業者の入力操作を受付け、上下水道プラント４に対して、入力操作に基づく操作指示を出力し、上下水道プラント４から受け取った出力結果を表示装置２Ａに表示し、また、上下水道プラント４から、例えば、圧力計４ｅ、流量計４ｆ等が出力した計測値を含む入力信号を受け取り、表示画面２０を表示装置２Ａに表示し、
　表示画面２０のレイアウトには、被監視対象に生じたイベントの情報を表示する第３の表示エリアとして、プラントが発生したアラームを表示するアラーム表示エリア２１が設けられ、アラーム表示エリア２１には、直近に発生したアラームの情報が１件から５件程度まで表示され、アラームの情報が６件以上になると、アラームの発生日時が古い順に過去のアラームの情報は表示されなくなるが、不図示のログ監視画面等により、所定期間内に発生した全てのアラームの情報を確認することが可能である、
　監視制御装置、監視制御方法及び監視制御システム。」
２　引用文献２について
　当審拒絶理由に引用された引用文献２には、図面とともに次の事項が記載されている。
（第２ページ右下欄下から４行目〜第３ページ右上欄第１２行）
「　キーポード１４から入力されたデータは、中央処理装置１１を介して通信インタフェース１２から通信回線２を通ってホストコンピュータ３に送られる。
ホストコンピュータ３
情報処理装置１
受信した
最新データは
画面表示メモリ１５の最新データ表示エリアに転送され
画面に表示される
　このように
新しい行が発生するたびに画面先頭行のデータを消して２行目以下をスクロールさせて、最下行に新データを表示しているが
　次に、画面から消えてしまったが、通信データ格納メモリ１６に格納されている通信データに遡って再表示する作用について説明する．
　通信中に
ある特定のキー（例えば、上矢印キー等）が押されると逆スクロールモードになる
画面から消えたデータが逆スクロールして再度表示される
　よって、引用文献２には、次の技術的事項が記載されているといえる。
「情報処理装置１がホストコンピュータ３から受信した最新データは、画面表示メモリ１５の最新データ表示エリアに転送され、新しい行が発生するたびに画面先頭行のデータを消して２行目以下をスクロールさせて、最下行に新データを表示しているが、ある特定のキー（例えば、上矢印キー等）が押されると逆スクロールモードになり、画面から消えたデータが逆スクロールして再度表示されること。」
３　引用文献３について
　当審拒絶理由に引用された引用文献３には、図面とともに次の事項が記載されている。
「【００２３】
　図１は、
プログラマブル表示器
【００２４】
　表示オブジェクトとして、
外部接続機器のデバイス値に応じて表示
デバイス値を定期的に収集し
表示
「【００３２】
　図４は、この実施の形態による
プログラマブル表示器で切換えられる２つのモード
通常操作モード時の画面状態
画面ジェスチャモード時の画面状態
画面ジェスチャモード時には、画面ジェスチャモードであることがユーザによって視覚的に認識可能なように、通常操作モード時とは表示が異なるように
画面ジェスチャ適用領域７０１の外周部を太線７０３で囲うようにし
この太線７０３は、たとえば赤色などの視覚的に目立つ配色としてもよいし、点滅表示させるようにしてもよい
「【図４】
」
　よって、引用文献３には、次の技術的事項が記載されているといえる。
「外部接続機器のデバイス値を収集して表示するプログラマブル表示器において、
　画面状態には、プログラマブル表示器で切換えられる２つのモード（通常モードと画面ジェスチャモード）があり、
　画面ジェスチャモード時には、画面ジェスチャモードであることがユーザによって視覚的に認識可能なように、通常操作モード時とは表示が異なるように、画面ジェスチャ適用領域７０１の外周部を太線７０３で囲うようにし、この太線７０３は、たとえば赤色などの視覚的に目立つ配色としてもよいし、点滅表示させるようにしてもよいこと。」
４　引用文献４及び引用文献５について
　当審拒絶理由に引用された引用文献４及び引用文献５は、令和２年１２月２４日に提出された手続補正書による補正により削除された、当該補正前の請求項３に対して提示されたものであるので、ここでは摘記を省略する。
５　引用文献６について
　当審拒絶理由に引用された引用文献６には、図面とともに次の事項が記載されている。
「【０００１】
【発明の属する技術分野】本発明は、
遠隔地にある被監視計算機を監視計算機で監視する遠隔監視システム
「【００１０】
【発明の実施の形態】本発明による遠隔監視システムの第１の実施の形態の構成を図１に示す。この第１の実施の形態の遠隔監視システムは、各々が事象の発生に基づいてシステムメッセージを出力する複数のプロセス（システムメッセージ出力手段）２１，…２１および
システムメッセージ監視プロセス（システムメッセージ監視手段）４を有する被監視計算機１
メッセージ受信表示プロセス（メッセージ受信表示手段）２４を有する監視計算機２０
監視計算機２０側に設けられたテンプレート格納ファイル２６
「【００１５】送信すると判断した場合は、
システムメッセージ監視プロセス４によって
パラメータデータは
監視計算機２０に送信され
【００１６】この送信されたパラメータデータはモデム１７を介してメッセージ受信表示プロセス２４によって受信される。そして、受信したパラメータ中のテンプレート識別子に一致するテンプレートがメッセージ受信表示プロセス２４によってテンプレート格納ファイル２６
から見出され、読込まれる（図４のステップＦ１１参照）。
【００１７】続いて、
読込まれたテンプレート中の文字変数
を、上記パラメータデータ中の可変データに置換えるようにメッセージ受信表示プロセス２４が編集し、システムメッセージを再生する
　よって、引用文献６には、次の技術的事項が記載されているといえる。
「遠隔地にある被監視計算機を監視計算機で監視する遠隔監視システムにおいて、
　被監視計算機１は、システムメッセージ監視プロセス（システムメッセージ監視手段）４を有し、監視計算機２０は、メッセージ受信表示プロセス（メッセージ受信表示手段）２４とテンプレート格納ファイル２６とを有し、
　システムメッセージ監視プロセス４によってパラメータデータが監視計算機２０に送信されると、メッセージ受信表示手段２４は、読込まれたテンプレート中の文字変数を上記パラメータデータ中の可変データに置換えるように編集し、システムメッセージを再生すること。」
６　引用文献Ａについて
　原査定に引用された引用文献Ａには、図面とともに次の事項が記載されている。
「【０００１】
【発明の属する技術分野】本発明は、
複数の監視クライアント及びサーバを備え、プラントのプロセス等を監視制御する監視制御装置
「【００６１】（第５の実施の形態:請求項５に対応）次に、請求項５に対応する本発明の第５の実施の形態について、図７を参照して説明する。本実施形態では、監視キーモード画面８０にて、第４の実施形態における監視キーによる表示フィルタリングを行うか（キーモード８０ｂ）、否か（全モード８０ｃ）を設定するものである。
【００６２】この場合、
全モードを選択した際、
アラームパネル７１ａのメッセージ欄にすべてのアラームメニューが表示される。メニュー画面から溢れたメッセージはロールバックキー７１ｃにて、再表示される
「【図７】
」
　よって、引用文献Ａには、次の技術的事項が記載されているといえる。
「複数の監視クライアント及びサーバを備え、プラントのプロセス等を監視制御する監視制御装置において、
　全モードを選択した際、アラームパネル７１ａのメッセージ欄にすべてのアラームメニューが表示される。メニュー画面から溢れたメッセージはロールバックキー７１ｃにて、再表示されること。」
第６　当審拒絶理由の理由１（明確性要件違反）及び理由２（サポート要件違反）について
　令和２年１２月２４日に提出された手続補正書による補正により、本願発明１、３及び４（補正前の請求項１、４及び５に対応）はいずれも、「第１の所定の指示」が入力された場合に、「前記メッセージ表示領域に最新のメッセージが表示されていない可能性があることを示す態様で前記メッセージ表示領域を表示」し、その後、「第２の所定の指示」が入力されたことに応じて、「前記メッセージ表示領域に、表示中の最新のメッセージよりも過去に前記メッセージ表示領域に表示された過去のメッセージを時系列に表示する」ことが明確となり、本願発明２（補正前の請求項２に対応）は、「第１の所定の指示」が入力された場合に、「前記メッセージ表示領域に最新のメッセージが表示されていない可能性があることを示す態様で前記メッセージ表示領域を表示」された後の事項であることが明確となるとともに、本願発明１ないし４は、発明の詳細な説明に記載されたものとなった。また、補正前の請求項１の記載と整合していなかった補正前の請求項３は削除された。
　よって、当審拒絶理由の理由１（明確性要件違反）及び理由２（サポート要件違反）はいずれも解消した。
第７　当審拒絶理由の理由３（進歩性欠如）について
１　対比・判断
（１）本願発明１について
ア　対比
　本願発明１と引用発明とを対比すると、次のことがいえる。
（ア）引用発明の「上下水道プラント４」は、本願発明１の「監視対象機器」に相当する。
　また、引用発明の「監視制御装置３Ａ」に接続される「表示装置２Ａ」が表示する「表示画面２０」は、「被監視対象」すなわち「上下水道プラント４」「に生じたイベントの情報を表示する第３の表示エリア」として、「プラントが発生したアラームを表示するアラーム表示エリア２１」を含むから、当該「アラーム表示エリア２１」に表示される「プラントが発生したアラーム」は、「監視対象機器の状況に関する」「メッセージ」といい得るものである。
　また、引用発明の「アラーム」は、その発生順に時系列に「監視制御装置３Ａ」により取得されるものであり、「監視制御装置３Ａ」がそのような取得のための手段（取得部）を備えることは自明である。
　よって、引用発明の「監視制御装置３Ａ」は、本願発明１の「監視対象機器の状況に関する時系列のメッセージを取得するメッセージ取得部」に相当する手段を備えている。
（イ）引用発明の「表示装置２Ａ」、「表示画面２０」、「アラーム表示エリア２１」はそれぞれ、本願発明１の「メッセージ表示装置」、「メッセージ表示装置の画面」、「メッセージ表示装置の画面内のメッセージ表示領域」に相当する。
（ウ）引用発明において、「アラーム表示エリア２１には、直近に発生したアラームの情報が１件から５件程度まで表示され」ることは、本願発明１の「メッセージ表示領域に、発生時刻が最も新しい前記メッセージから順に所定数の前記メッセージを表示し」に相当し、また、引用発明の「監視制御装置３Ａ」は、そのような表示のための表示制御部を備えるものといえる。
（エ）引用発明は、「アラームの情報が６件以上になると、アラームの発生日時が古い順に過去のアラームの情報は表示されなくなるが、不図示のログ監視画面等により、所定期間内に発生した全てのアラームの情報を確認することが可能である」との構成を備えることにより、「監視制御装置３Ａ」は、表示中の最新のメッセージよりも過去に前記メッセージ表示領域に表示された過去のメッセージを時系列に表示する機能を備え、そのための表示制御部を備えるものといえる。
（オ）前記（ウ）及び（エ）より、引用発明の「監視制御装置３Ａ」と、本願発明１の「メッセージ表示装置の画面内のメッセージ表示領域に、発生時刻が最も新しい前記メッセージから順に所定数の前記メッセージを表示し、前記メッセージ表示領域における表示対象を切り替えるための第１の所定の指示が入力された場合、前記メッセージ表示領域に最新のメッセージが表示されていない可能性があることを示す態様で前記メッセージ表示領域を表示し、その後に、表示されるメッセージを変更するための第２の所定の指示が入力されたことに応じて、前記メッセージ表示領域に、表示中の最新のメッセージよりも過去に前記メッセージ表示領域に表示された過去のメッセージを時系列に表示する表示制御部」とは、「メッセージ表示装置の画面内のメッセージ表示領域に、発生時刻が最も新しい前記メッセージから順に所定数の前記メッセージを表示し、表示中の最新のメッセージよりも過去に前記メッセージ表示領域に表示された過去のメッセージを時系列に表示する表示制御部」を備える点において共通する。
（カ）引用発明の「監視制御装置３Ａ」は、後述する相違点を除くと、本願発明１の「メッセージ表示装置」といい得るものである。
イ　一致点・相違点
　したがって、本願発明１と引用発明との間には、次の一致点、相違点があるといえる。
［一致点］
「　監視対象機器の状況に関する時系列のメッセージを取得するメッセージ取得部と、
　メッセージ表示装置の画面内のメッセージ表示領域に、発生時刻が最も新しい前記メッセージから順に所定数の前記メッセージを表示し、表示中の最新のメッセージよりも過去に前記メッセージ表示領域に表示された過去のメッセージを時系列に表示する表示制御部と、
　を備えるメッセージ表示装置。」
［相違点］
　「表示制御部」に関し、本願発明１は、「前記メッセージ表示領域における表示対象を切り替えるための第１の所定の指示が入力された場合、前記メッセージ表示領域に最新のメッセージが表示されていない可能性があることを示す態様で前記メッセージ表示領域を表示し、その後に、表示されるメッセージを変更するための第２の所定の指示が入力されたことに応じて、前記メッセージ表示領域に、」「表示中の最新のメッセージよりも過去に前記メッセージ表示領域に表示された過去のメッセージを時系列に表示する」ものであるのに対し、引用発明の「監視制御装置３Ａ」は、「アラームの情報が６件以上になると、アラームの発生日時が古い順に過去のアラームの情報は表示されなくなるが、不図示のログ監視画面等により、所定期間内に発生した全てのアラームの情報を確認することが可能である」との機能を備えるにとどまり、「第１の所定の指示」の入力に対して「前記メッセージ表示領域に最新のメッセージが表示されていない可能性があることを示す態様で前記メッセージ表示領域を表示」すること、及び「」第２の所定の指示」の入力に対して「前記メッセージ表示領域に」「「表示中の最新のメッセージよりも過去に前記メッセージ表示領域に表示された過去のメッセージを時系列に表示する」ものではない点。
ウ　相違点についての判断
　上記相違点に係る本願発明１の構成は、上記引用文献２、３及び６には記載されておらず、また、引用文献４及び５を参照したとしても、当該構成が本願出願時において周知技術であるともいえない。
　なお、引用文献３に記載の「プログラマブル表示器」は、「監視対象機器の状況に関する時系列のメッセージ」を表示することを前提としたものではなく、また、引用発明とは技術分野が異なるから、引用発明に引用文献３に記載された技術的事項を適用する動機付けが存在しない。
　仮に、適用することができるとしても、引用文献３に記載の「プログラマブル表示器」において「通常操作モード時」の画面状態は、「発生時刻が最も新しい前記メッセージから順に所定数のメッセージを表示」するものではなく、かつ、「画面ジェスチャモード時」の画面状態は、「表示中の最新のメッセージよりも過去に前記メッセージ表示領域に表示された過去のメッセージを時系列に表示する」ものではない。そうすると、引用文献３に記載の技術的事項において、「画面ジェスチャモード時には、画面ジェスチャモードであることがユーザによって視覚的に認識可能なように、通常操作モード時とは表示が異なるように、画面ジェスチャ適用領域７０１の外周部を太線７０３で囲うようにし、この太線７０３は、たとえば赤色などの視覚的に目立つ配色としてもよいし、点滅表示させるようにしてもよいこと」は、本願発明１の「前記メッセージ表示領域に最新のメッセージが表示されていない可能性があることを示す態様で前記メッセージ表示領域を表示」することには該当しない。
　したがって、引用発明に引用文献３記載された技術的事項を適用しても、本願発明１には到達しない。
　したがって、本願発明１は、当業者であっても引用発明、引用文献２、３及び６に記載された技術的事項に基いて容易に発明できたものであるとはいえない。
（２）本願発明２について
　本願発明２も、前記相違点に係る本願発明１の構成を備えるものであるから、本願発明１と同じ理由により、当業者であっても、引用発明、引用文献２、３及び６に記載された技術的事項に基いて容易に発明できたものとはいえない。
（３）本願発明３ないし５について
　本願発明３は、本願発明１を「監視システム」として特定し、本願発明４は、本願発明１を「メッセージ表示方法」として特定し、また、本願発明５は、本願発明１を「プログラム」として特定したものであり、いずれも、前記相違点に係る本願発明１の構成を実質的に備えるものであるから、本願発明１と同じ理由により、当業者であっても、引用発明、引用文献２、３及び６に記載された技術的事項に基いて容易に発明できたものとはいえない。
第８　原査定についての判断
　令和２年１２月２４日付けの補正により、補正後の請求項１ないし５は、前記相違点に係る本願発明１の構成を備えるものとなった。そして、当該構成は、原査定における引用文献Ａ及びＢには記載されておらず、本願出願時の周知技術でもないので、本願発明１ないし５は、当業者であっても、原査定における引用文献Ａ及びＢに記載された発明に基いて容易に発明できたものではない。
　なお、前記第５の５において述べたように、引用文献Ａには、
「複数の監視クライアント及びサーバを備え、プラントのプロセス等を監視制御する監視制御装置において、
　全モードを選択した際、アラームパネル７１ａのメッセージ欄にすべてのアラームメニューが表示され、メニュー画面から溢れたメッセージはロールバックキー７１ｃにて、再表示されること。」
との技術的事項が記載されているが、仮に、当該技術的事項の「アラームパネル７１ａのメッセージ欄」及び「メッセージ」がそれぞれ本願発明１の「メッセージ表示領域」及び「メッセージ」に相当するとしても、引用文献Ａには、「第１の所定の指示」が入力された場合に「前記メッセージ表示領域に最新のメッセージが表示されていない可能性があることを示す態様で前記メッセージ表示領域を表示」すること、及び、「
その後に、
　したがって、原査定を維持することはできない。
第９　むすび
　以上のとおり、原査定の理由によって、本願を拒絶することはできない。
　他に本願を拒絶すべき理由を発見しない。
　よって、結論のとおり審決する。